(57)【要約】【課題】靴紐を結ばなくても締め付けを保持できる靴において、靴紐の締め上げ状態が良好に保持される靴を提供することを目的とする。【解決手段】靴本体部１と靴紐３とで構成され、靴紐３は、紐通し孔４よりも大径に形成されるとともに、伸縮自在に形成され引っ張り操作により伸長小径化変形して前記紐通し孔４を通過することができるように構成された大径こぶ部５が長手方向に沿って複数設けられている構成とされ、また、靴本体部１は、側面に最後の紐通し孔４から引き出された靴紐端部６に設けられる大径こぶ部５を係止させる靴紐先端係止部７が設けられた構成とされ、この靴紐先端係止部７は、非変形状態の大径こぶ部５は通過できず、引っ張り操作により伸長小径化変形した大径こぶ部５は通過できる通孔８を有する構成とされる靴。【選択図】図１
2018094012.tif 000002
【特許請求の範囲】
【請求項１】
靴本体部と、この靴本体部の足甲部を緊締するための靴紐とからなる靴であって、前記靴紐は、前記足甲部の左右に設けられている紐通し孔の孔径よりも大径に形成されている大径こぶ部が長手方向に沿って複数設けられている構成とされ、この大径こぶ部は、伸縮自在に形成され引っ張り操作により伸長小径化変形して前記紐通し孔を通過することができるように構成されていて、前記靴本体部は、側面に履き口側の最後の紐通し孔に挿通され引き出された前記靴紐の靴紐端部に設けられている前記大径こぶ部を係止させる靴紐先端係止部が設けられている構成とされ、この靴紐先端係止部は、非変形状態の前記大径こぶ部は通過することができず、引っ張り操作により伸長小径化変形した前記大径こぶ部は通過することができる径寸法の通孔を有する構成とされ、前記靴紐を手で引っ張り操作することで前記大径こぶ部を伸長小径化変形させ、前記足甲部の左右に並設された複数の前記紐通し孔を通過させて締め上げた後、前記靴紐端部を手で引っ張り操作して該靴紐端部に設けられている前記大径こぶ部を伸長小径化変形させて前記通孔を通過させた位置に配して前記引っ張り操作をやめることで、伸長小径化変形した前記大径こぶ部が前記紐通し孔及び前記通孔を通過することができない非変形状態の大径こぶ部に復元し、この前記紐通し孔及び前記通孔を通過することができない前記大径こぶ部が前記最後の紐通し孔と前記通孔との双方に戻り止め係止することで、前記靴紐を結ばなくても前記足甲部の緊締状態が保持されるように構成されていることを特徴とする靴。
【請求項２】
前記靴本体部の左右の側面の夫々に前記靴紐先端係止部が設けられていることを特徴とする請求項１記載の靴。
【請求項３】
前記靴紐先端係止部は、前記最後の紐通し孔から引き出された前記靴紐端部を該靴紐先端係止部に係止させた際、前記最後の紐通し孔を起点に引き出し方向が変わり屈曲状態となる位置に設けられていることを特徴とする請求項１，２のいずれか１項に記載の靴。
【請求項４】
前記靴紐先端係止部は、前記最後の紐通し孔から引き出された前記靴紐端部を該靴紐先端係止部に係止させた際、前記最後の紐通し孔を起点に引き出し方向が靴本体部の先端側方向に変わり屈曲状態となるように、前記最後の紐通し孔の紐通し方向延長線上よりも靴本体部の先端側に設けられていることを特徴とする請求項３記載の靴。
【請求項５】
前記靴紐先端係止部は、前記靴本体部の側面に沿う方向に穿孔された前記通孔を有する構成とされ、前記靴紐を手で引っ張り操作することで前記大径こぶ部を伸長小径化変形させ、前記足甲部の左右に並設された複数の前記紐通し孔を通過させて締め上げた後、前記靴紐端部を手で引っ張り操作して該靴紐端部に設けられている前記大径こぶ部を伸長小径化変形させて前記通孔を通過させた位置に配して前記引っ張り操作をやめると、伸長小径化変形した前記大径こぶ部が前記通孔を通過することができない非変形状態の大径こぶ部に復元し、この通孔に戻り止め係止するとともに、前記靴紐端部が前記靴本体部の側面に沿設状態となるように構成されていることを特徴とする請求項１〜４のいずれか１項に記載の靴。
【請求項６】
前記靴紐は、長手方向両側部に夫々、前記大径こぶ部が複数並設されてなる大径こぶ領域部が形成され、長手方向中央部に前記紐通し孔の孔径よりも小径な小径こぶ部が複数並設されてなる小径こぶ領域部が形成されていることを特徴とする請求項１〜５のいずれか１項に記載の靴。
【発明の詳細な説明】
【技術分野】
【０００１】
本発明は、靴紐を結ばなくても足甲部の緊締状態が保持される靴に関するものである。
【背景技術】
【０００２】
従来、この種の靴として、例えば特許文献１に開示されるような靴紐を用いたものがある。
【０００３】
この靴紐は、間隔をあけて繰返し配置され、自身に加えられる軸方向張力の大小によって径の大きさが変化するこぶを有する伸縮性素材からなるチューブ状ひも本体と、ひも本体のチューブ構造によって構成される中心の管部分に非伸縮性素材からなり、こぶのコアを構成し、こぶの径変化に応じたこぶ両端距離の変化に追随するようにこぶ対応部分にて丸められた中心ひもとで構成されており、軸方向張力を加えてこぶの径が小さくなるよう収縮させ、この状態でひも孔に通し、ひも孔への通しが終えたら、加えた軸方向張力を弱めてこぶの径が大きくなるように膨張させ、このこぶが膨張することでひも孔にひっかかり、結ぶ作業を経ることなく固定効果（ひもを結んだ際の締め上げ保持効果）が得られることを可能としたものであり、このような靴紐を用いた靴は、各ひも孔にこぶが係止して走るなどの運動をしても締め付け力が緩まず、靴と足との一体感（フィット感）がしっかりと保持される効果が発揮されるものとなっている。
【先行技術文献】
【特許文献】
【０００４】
【特許文献１】特許第５０７９９２６号公報
【発明の概要】
【発明が解決しようとする課題】
【０００５】
しかしながら、このような靴紐を用いた従来の靴（以下、従来品という）は、激しい運動の際には、ひも孔に係止するこぶに戻り方向の引っ張り作用が生じ、この戻り引っ張り作用によりこぶに伸長小径化変形が生じて係止状態が解除されて締め付け状態が弛んでしまう懸念があり、そのうえ、この従来品は、履き口側に最も近い最後のひも孔から引き出された靴紐の端部（余り部分）を固定する手段がないので、そのままの状態にしておくか、或いは、履き口から靴内に入れ込むか、足甲部に挿通配設された靴紐に絡み通すなどして固定するしかなく、そのため、この余った靴紐の端部が運動中にバタついたり、履き心地を低下させたり、或いは見栄えを悪くしていた。
【０００６】
本発明は、このような従来品の現状に鑑みなされたもので、激しい運動の際にも靴紐の締め上げ状態が良好に保持され締め付けの緩みが生じにくく、更に、最後の紐通し孔から引き出された靴紐端部がきちんと所定位置に固定され、運動中にバタつかず、見栄えも良くなる画期的な紐結びが不要な靴を提供することを目的とする。
【課題を解決するための手段】
【０００７】
添付図面を参照して本発明の要旨を説明する。
【０００８】
靴本体部１と、この靴本体部１の足甲部２を緊締するための靴紐３とからなる靴であって、前記靴紐３は、前記足甲部２の左右に設けられている紐通し孔４の孔径よりも大径に形成されている大径こぶ部５が長手方向に沿って複数設けられている構成とされ、この大径こぶ部５は、伸縮自在に形成され引っ張り操作により伸長小径化変形して前記紐通し孔４を通過することができるように構成されていて、前記靴本体部１は、側面に履き口側の最後の紐通し孔４に挿通され引き出された前記靴紐３の靴紐端部６に設けられている前記大径こぶ部５を係止させる靴紐先端係止部７が設けられている構成とされ、この靴紐先端係止部７は、非変形状態の前記大径こぶ部５は通過することができず、引っ張り操作により伸長小径化変形した前記大径こぶ部５は通過することができる径寸法の通孔８を有する構成とされ、前記靴紐３を手で引っ張り操作することで前記大径こぶ部５を伸長小径化変形させ、前記足甲部２の左右に並設された複数の前記紐通し孔４を通過させて締め上げた後、前記靴紐端部６を手で引っ張り操作して該靴紐端部６に設けられている前記大径こぶ部５を伸長小径化変形させて前記通孔８を通過させた位置に配して前記引っ張り操作をやめることで、伸長小径化変形した前記大径こぶ部５が前記紐通し孔４及び前記通孔８を通過することができない非変形状態の大径こぶ部５に復元し、この前記紐通し孔４及び前記通孔８を通過することができない前記大径こぶ部５が前記最後の紐通し孔４と前記通孔８との双方に戻り止め係止することで、前記靴紐３を結ばなくても前記足甲部２の緊締状態が保持されるように構成されていることを特徴とする靴に係るものである。
【０００９】
また、前記靴本体部１の左右の側面の夫々に前記靴紐先端係止部７が設けられていることを特徴とする請求項１記載の靴に係るものである。
【００１０】
また、前記靴紐先端係止部７は、前記最後の紐通し孔４から引き出された前記靴紐端部６を該靴紐先端係止部７に係止させた際、前記最後の紐通し孔４を起点に引き出し方向が変わり屈曲状態となる位置に設けられていることを特徴とする請求項１，２のいずれか１項に記載の靴に係るものである。
【００１１】
また、前記靴紐先端係止部７は、前記最後の紐通し孔４から引き出された前記靴紐端部６を該靴紐先端係止部７に係止させた際、前記最後の紐通し孔４を起点に引き出し方向が靴本体部１の先端側方向に変わり屈曲状態となるように、前記最後の紐通し孔４の紐通し方向延長線上よりも靴本体部１の先端側に設けられていることを特徴とする請求項３記載の靴に係るものである。
【００１２】
また、前記靴紐先端係止部７は、前記靴本体部１の側面に沿う方向に穿孔された前記通孔８を有する構成とされ、前記靴紐３を手で引っ張り操作することで前記大径こぶ部５を伸長小径化変形させ、前記足甲部２の左右に並設された複数の前記紐通し孔４を通過させて締め上げた後、前記靴紐端部６を手で引っ張り操作して該靴紐端部６に設けられている前記大径こぶ部５を伸長小径化変形させて前記通孔８を通過させた位置に配して前記引っ張り操作をやめると、伸長小径化変形した前記大径こぶ部５が前記通孔８を通過することができない非変形状態の大径こぶ部５に復元し、この通孔８に戻り止め係止するとともに、前記靴紐端部６が前記靴本体部１の側面に沿設状態となるように構成されていることを特徴とする請求項１〜４のいずれか１項に記載の靴に係るものである。
【００１３】
また、前記靴紐３は、長手方向両側部に夫々、前記大径こぶ部５が複数並設されてなる大径こぶ領域部９が形成され、長手方向中央部に前記紐通し孔４の孔径よりも小径な小径こぶ部10が複数並設されてなる小径こぶ領域部11が形成されていることを特徴とする請求項１〜５のいずれか１項に記載の靴に係るものである。
【発明の効果】
【００１４】
本発明は上述のように構成したから、激しい運動の際にも靴紐の締め上げ状態が良好に保持され締め付けの緩みの発生が可及的に低減される。
【００１５】
更に、最後の紐通し孔から引き出された靴紐端部がきちんと所定位置に固定され、運動中にバタつかず、見栄えも良くなる。
【図面の簡単な説明】
【００１６】
【図１】本実施例を示す斜視図である。
【図２】本実施例を示す正面図である。
【図３】本実施例の靴紐を示す正面図である。
【図４】（ａ）本実施例の靴紐の通常状態を示す説明正面図である。（ｂ）本実施例の靴紐が伸長小径化変形している状態を示す説明正面図である。
【図５】（ａ）本実施例の靴紐の通常状態における内部紐体の状態を示す説明断面図である。（ｂ）本実施例の靴紐が伸長小径化変形している状態における内部紐体の状態を示す説明断面図である。
【図６】本実施例の使用状態（靴紐締め上げ状態）を示す説明図である。
【図７】本実施例の使用状態（靴紐締め上げ解除後の状態）を示す説明図である。
【図８】本実施例の大径こぶ部の紐通し孔挿通時の状態を示す説明図である。
【図９】本実施例の大径こぶ部の紐通し孔挿通後の状態を示す説明図である。
【図１０】本実施例の小径こぶ部の紐通し孔挿通時の状態を示す説明図である。
【図１１】本実施例の靴紐の靴紐端部を靴紐先端係止部に挿通配設する状態を示す説明図である。
【発明を実施するための形態】
【００１７】
好適と考える本発明の実施形態を、図面に基づいて本発明の作用を示して簡単に説明する。
【００１８】
本発明は、靴紐３を手で引っ張り操作して大径こぶ部５を伸長小径化変形させながら、靴本体部１の足甲部２の左右に夫々並設されている複数の紐通し孔４に左右交互に挿通してこの足甲部２に靴紐３を引き回し配設し、靴本体部１の最も履き口側に位置する最後の紐通し孔４を通過させ外方に引き出した靴紐３の靴紐端部６を締め上げた後引っ張り操作をやめると、伸長小径化変形した大径こぶ部５が紐通し孔４を通過することができない非変形状態の大径こぶ部５に復元する。
【００１９】
更に、この最後の紐通し孔４から引き出された靴紐端部６を手で引っ張り操作してこの靴紐端部６に設けられている大径こぶ部５を伸長小径化変形させて通孔８を通過させた位置に配して引っ張り操作をやめると、伸長小径化変形した大径こぶ部５が通孔８を通過することができない非変形状態の大径こぶ部５に復元する。
【００２０】
これにより、最後の紐通し孔４を通過した出口位置と、靴紐先端係止部７の通孔８を通過した出口位置の二箇所にこれらを戻り通過することができない形状の大径こぶ部５が配置されることとなり、靴紐３に戻り移動作用が生じた場合、この最後の紐通し孔４を通過した大径こぶ部５が最後の紐通し孔４の周縁部に戻り係止するとともに、靴紐先端係止部７の通孔８を通過した大径こぶ部５がこの通孔８の周縁部、即ち靴紐先端係止部７に戻り係止して靴紐３の戻り移動が二箇所で阻止され、靴紐３の締め上げ状態が良好に保持されることとなる。
【００２１】
また、靴紐端部６を靴紐先端係止部７の通孔８に挿通させ大径こぶ部５により抜け止め状態にすることで、靴紐端部６が位置決め状態となる。
【００２２】
したがって、本発明は、激しい運動の際にも靴紐の締め上げ状態が良好に保持され締め付けの緩みの発生が可及的に低減され、更に、最後の紐通し孔から引き出された靴紐端部がきちんと所定位置に固定され、運動中にバタつかず、見栄えも良くなる実用性に優れた画期的な紐結びが不要な靴となる。
【実施例】
【００２３】
本発明の具体的な実施例について図面に基づいて説明する。
【００２４】
本実施例は、本発明の靴紐３と、靴本体部１とで構成される靴である。
【００２５】
以下、本実施例に係る構成各部について詳述する。
【００２６】
本実施例の靴紐３は、長手方向両側部に夫々設けられた、靴本体部１の足甲部２の左右に設けられている紐通し孔４の孔径よりも大径な大径こぶ部５が間隔をおいて複数並設されてなる大径こぶ領域部９と、この両側の大径こぶ領域部９の間、即ち、長手方向中央部に設けられた、紐通し孔４の孔径よりも小径な小径こぶ部10が間隔をおいて複数並設されてなる小径こぶ領域部11とから成る構成とされている。
【００２７】
具体的には、大径こぶ部５は、伸縮自在に構成され、非伸縮性の大径こぶ連結部12を介して靴紐３の長手方向に沿って並設されている構成とされ、また、小径こぶ部10は、大径こぶ部５同様、伸縮自在に構成され、非伸縮性の小径こぶ連結部13を介して靴紐３の長手方向に沿って並設されている構成とされている。
【００２８】
即ち、本実施例の靴紐３は、例えば両端部を手で持って引っ張り操作して大径こぶ部５、小径こぶ部10の夫々に張力を付与すると、伸縮自在に構成された複数の大径こぶ部５及び小径こぶ部10が伸長して靴紐全体がゴム紐の様に伸長し、引っ張り操作をやめて張力の付与が解除されると、大径こぶ部５及び小径こぶ部10の夫々が縮退して元の状態に復元する伸縮性を具備した構成とされている。
【００２９】
より具体的には、本実施例の大径こぶ部５は、直径約７ｍｍのほぼ球状に形成されており、靴紐３の長手方向への引っ張り操作により張力が付与されることでラグビーボール様に伸長小径化変形して紐通し孔４を通過することが可能な形状となり、引っ張り操作をやめることで張力が解除されると元の紐通し孔４を通過することができない大径なこぶ形状に復元する構成とされ、また、小径こぶ部10は、直径約４ｍｍの円筒状に形成され、大径こぶ部５同様、靴紐３の長手方向への引っ張り操作により張力が付与されることでこの小径こぶ部10に連設される直径約２ｍｍの紐状の小径こぶ連結部13と同化するように伸長小径化変形し、引っ張り操作をやめることで張力が解除されると元の形状に復元する構成とされている。
【００３０】
また、この大径こぶ部５が複数並設されてなる大径こぶ領域部９は、引っ張り操作により大径こぶ部５を伸長小径化変形させて足甲部２の左右に並設される各紐通し孔４を通過させて締め上げた後、引っ張り操作をやめて伸長小径化変形させた大径こぶ部５を元の紐通し孔４を通過することができない大径なこぶ形状の大径こぶ部５に復元させた際に、この復元された大径こぶ部５が、靴本体部１の足甲部２の左右に並設されている紐通し孔４の最も履き口側に位置する最後の紐通し孔４だけ、若しくはこの最後の紐通し孔４とその一つ手前の紐通し孔４だけに戻り係止する長さに設定され、また、小径こぶ部10が複数並設されて成る小径こぶ領域部11は、足甲部２の左右に並設されている紐通し孔４に左右交互に挿通して交差状に引き回し配設することができる長さに設定されている。
【００３１】
具体的には、本実施例においては、各大径こぶ領域部９は夫々、靴紐全長の約１／４に相当する長さに設定され、また、小径こぶ領域部11は、靴紐全長の約１／２に相当する長さに設定されており、より具体的には、大径こぶ領域部９は、靴紐３を靴本体部１の足甲部２の左右に並設される紐通し孔４に挿通配設して締め上げた際にこの足甲部２の上側、例えば紐通し孔４二つ分くらいの領域に配されるとともに、履き口に最も近い最後の紐通し孔４から引き出される靴紐端部６となり、また、小径こぶ領域部11は、足甲部２の下側（靴先側）から上側（履き口側）にかけてその半分以上の領域に配されるように構成されている。
【００３２】
本実施例の靴紐３について更に具体的に説明すると、本実施例の靴紐３は、長手方向両側部に夫々、大径こぶ部５を形成するための大径こぶ形成膨出形状部14が間隔をおいて複数並設状態に形成されているとともに、長手方向中央部に小径こぶ部10を形成するための小径こぶ形成膨出形状部15が間隔をおいて複数並設状態に形成された伸縮性素材からなる管状紐本体16と、この管状紐本体16内に挿通配設される非伸縮性素材からなる内部紐体17との二つの部材からなる構成とされ、本実施例においては、管状紐本体16は、天然ゴムや合成ゴム等の伸縮性素材（弾性素材）と、ポリエステル、ナイロン、アクリル、ポリウレタン等の非伸縮性素材との組み合わせにより形成された伸縮性素材からなる構成とされている。
【００３３】
具体的には、本実施例の靴紐３は、管状紐本体16の大径こぶ形成膨出形状部14内に内部紐体17が大径こぶ芯部18を形成するように弛み状態で配設されて大径こぶ部５が形成され、また、管状紐本体16の小径こぶ形成膨出形状部15内に内部紐体17が小径こぶ芯部19を形成するように弛み状態で配設されて小径こぶ部10が形成される構成とされている。
【００３４】
また、本実施例の靴紐３は、この大径こぶ形成膨出形状部14内に配設させる大径こぶ芯部18、及び小径こぶ形成膨出形状部15内に配設される小径こぶ芯部19の夫々が、これら大径こぶ形成膨出形状部14及び小径こぶ形成膨出形状部15、言い換えると大径こぶ部５及び小径こぶ部10の伸長動作を制限する伸長動作制限部材となる構成とされている。
【００３５】
具体的には、大径こぶ芯部18は、両端部が大径こぶ形成膨出形状部14の両端部に固着された構成とされ、また、小径こぶ芯部19は、両端部が小径こぶ形成膨出形状部15の両端部に固着された構成とされ、大径こぶ部５においては、引っ張り操作による張力が付与されると大径こぶ形成膨出形状部14の端部が引っ張られて伸長動作し、この大径こぶ形成膨出形状部14の端部が引っ張られることで内部の弛み状態の大径こぶ芯部18も一緒に引っ張られ、この引っ張り作用により大径こぶ芯部18の弛みがなくなり張設状態になることで伸長動作制限作用が発揮されて大径こぶ形成膨出形状部14のそれ以上の伸長動作が制限（抑止）され、また、小径こぶ部10においては、引っ張り操作による張力が付与されると小径こぶ形成膨出形状部15の端部が引っ張られて伸長動作し、この小径こぶ形成膨出形状部15の端部が引っ張られることで内部の弛み状態の小径こぶ芯部19も一緒に引っ張られ、この引っ張り作用により小径こぶ芯部19の弛みがなくなり張設状態になることで伸長動作制限作用が発揮されて小径こぶ形成膨出形状部15のそれ以上の伸長動作が制限（抑止）される構成とされている。
【００３６】
即ち、本実施例の靴紐３は、引っ張り操作による伸長動作時の伸長量を制限して紐的要素を大きくした構成とすることで、紐通し孔４への挿通作業をし易くすると共に、管状紐本体16を構成する伸縮性素材（弾性素材）の過剰な伸長によるこの伸縮性素材の断裂を防止する構成とされている。
【００３７】
また、本実施例の靴本体部１は、図示するように、一般的なスニーカー形状に構成されているものであり、足甲部２の左右に夫々複数の紐通し孔４が靴先から履き口に向かう方向に沿って並設されている。
【００３８】
また、本実施例の靴本体部１は、左右の側面の夫々に、紐通し孔４に挿通配設した靴紐３の先端部分、即ち、紐通し孔４に挿通配設し履き口側に位置する最後の紐通し孔４を通過させて外方に引き出された靴紐端部６を、この該靴本体部１に係止させるための靴紐先端係止部７が設けられている構成とされている。
【００３９】
具体的には、本実施例の靴紐先端係止部７は、非変形状態の大径こぶ部５は通過することができず、引っ張り操作により伸長小径化変形した大径こぶ部５は通過することができる紐通し孔４とほぼ同等の径寸法に設定された通孔８を有する構成とされている。
【００４０】
即ち、本実施例の靴紐先端係止部７は、大径こぶ部５が紐通し孔４に戻り止め係止する構成と同様、最後の紐通し孔４から引き出された靴紐端部６を手で引っ張り操作してこの靴紐端部６にある大径こぶ部５を伸長小径化変形させてこの小径こぶ部５を通孔８に挿通させた後、引っ張り操作をやめて伸長小径化変形した大径こぶ部５をそのままでは通孔８を通過することができない元の状態に復元させることで、靴紐３に戻り移動作用が生じてもこの靴紐端部６の大径こぶ部５が通孔８の周縁部、即ち靴紐先端係止部７に戻り係止して、靴紐３の戻り移動が阻止されるように構成されている。
【００４１】
即ち、本実施例は、最後の紐通し孔４とともにこの靴紐先端係止部７の二箇所で靴紐３の締め上げ状態を保持する二重係止（ダブルロック）構造とされ、締め上げ状態を良好に保持し、靴紐３を結ばなくても靴本体部１の足甲部２の緊締状態が良好に保持される構成とされている。
【００４２】
更に本実施例の靴紐先端係止部７について具体的に説明すると、本実施例の靴紐先端係止部７は、足甲部２の履き口側に位置する最後の紐通し孔４と、この最後の紐通し孔４を挿通する前に靴紐３が挿通された反対側の最後の紐通し孔４の一つ手前の紐通し孔４とを結ぶ紐通し方向延長線上よりも靴本体部１の先端側に設けられる（配置される）構成とされ、具体的には、本実施例においては、最後の紐通し孔４のほぼ真下に設けられている構成とされている。
【００４３】
即ち、本実施例は、最後の紐通し孔４を通過し外方に引き出された靴紐３の靴紐端部６を、最後の紐通し孔４の真下に位置する靴紐先端係止部７の通孔８に挿通することで、最後の紐通し孔４で靴紐３を大きく屈曲させて引き回し方向を変えることで、靴紐３に戻り移動作用が生じた場合、この屈曲部が戻り移動作用に対する抵抗部となって、より戻り移動しにくくなるように構成されている。
【００４４】
また更に、本実施例の靴紐先端係止部７に設けられた通孔８は、靴本体部１の側面に沿う方向に穿孔された構成とされ、最後の紐通し孔４から引き出された靴紐端部６を手で引っ張り操作してこの靴紐端部６にある大径こぶ部５を伸長小径化変形させてこの小径こぶ部５を通孔８に挿通させた後、引っ張り操作をやめて伸長小径化変形した大径こぶ部５をそのままでは通孔８を通過することができない元の状態に復元させると、この通孔８を挿通させた靴紐端部６が靴本体部１の側面に沿設状態に位置決めされるように構成されている。
【００４５】
即ち、本実施例の靴紐端部６は、靴紐３の締め上げ状態を保持する最後の保持部として構成されるとともに、余った靴紐３の靴紐端部６が運動中にバタつかないように所定位置に固定する靴紐端部位置決め部として作用する構成とされている。
【００４６】
以上のように構成される本実施例の作用効果について以下に説明する。
【００４７】
本実施例は、靴紐３を手で引っ張り操作しながら大径こぶ部５を伸長小径化変形させ、靴本体部１の足甲部２の左右に夫々並設される複数の紐通し孔４に左右交互に挿通してこの足甲部２に交差状に引き回し配設し、最後の紐通し孔４を通過させた靴紐３の靴紐端部６を引っ張り操作して締め上げた状態で、更にこの靴紐端部６を靴紐先端係止部７の通孔８に挿通した後、この引っ張り操作をやめると大径こぶ部５の伸長小径化変形が解除され、大径こぶ部５が元の紐通し孔４及び通孔８を通過することができない大径な球状に復元されて、靴紐３に戻り移動作用が生じた場合、最後の紐通し孔４を通過した大径こぶ部５（具体的には、この最後の紐通し孔４の出口側に最も近い大径こぶ部５）がこの最後の紐通し孔４の周縁部（ハトメ部材）に係止するとともに、靴紐先端係止部７の通孔８を通過した大径こぶ部５（具体的には、この通孔８の出口側に最も近い大径こぶ部５）がこの通孔８の周縁部、即ち靴紐先端係止部７に係止して靴紐３の戻り移動が二箇所で阻止され、靴紐３の締め上げ状態が良好に保持されるので、靴紐３を結ばなくても足甲部２の締め付け状態が確実に保持されるので、靴紐３の結びが不要となる。
【００４８】
また、この紐通し孔４への紐通し作業の際、本実施例の靴紐３は、長手方向両側部、言い換えると、靴紐３の各靴紐先端部から夫々所定長さ領域にだけそのままの状態では紐通し孔４を通過することができず引っ張り操作により張力が付与されて伸長縮小化変形することで紐通し孔４を通過することができる大径こぶ部５が配置され、それ以外の領域はそのままの状態で紐通し孔４を通過することができる小径こぶ部10が配置される構成とされているので、一々引っ張り操作により伸長縮小化変形させながら紐通し孔４を通過させる大径こぶ部５の数が少なく、紐通し作業が容易になるとともに、靴紐３の締め付け具合を調整する際も、足甲部２の上側に位置する大径こぶ領域部９を移動させる際だけ引っ張り操作を要し、小径こぶ領域部11を移動させる際は、従来の一般的な靴紐を移動させるのと同様の通常紐通し操作でよいので、締め付け具合の調整が容易であり、しかも、足甲部２における大径こぶ部５の数が少ないので、見た目がすっきりして体裁も良いものとなる。
【００４９】
また、本実施例は、靴紐３の各大径こぶ部５及び各小径こぶ部10は夫々伸縮性を有するので、靴紐全体に亘って伸縮性を有することとなり、この大径こぶ部５及び小径こぶ部10をやや伸長させた状態で足甲部２に挿通配設することで、この大径こぶ部５及び小径こぶ部10に縮退作用が生じ、この縮退作用によって生じる足甲部締め付け付勢により、靴本体部１の足へのフィット感が向上し、しかも、この靴紐全体の伸縮性に加え、小径こぶ部10が紐通し孔４を自在に通過可能なので、この足甲部締め付け付勢の度合い、言い換えると、靴紐３の足甲部２に対する緊締具合が自然調整される。
【００５０】
即ち、足は左右非対称形であるとともに、その足甲頂点には多くの血管が存在し、靴紐で緊締することで血流が阻まれ、歩行や長時間立っていることで足全体がむくみ、ひいてはからだ全体の血流を悪くすることがあるが、本実施例は、上記作用により長時間の歩行や立ち作業でむくみが生じても、このむくみに応じて緊締具合が自然に調整されるので、足甲における血流が阻まれることがなく、この血流悪化による健康被害の発生を防止することができる。
【００５１】
また更に、本実施例は、紐通し孔４を挿通し終えた靴紐３の靴紐端部６が靴紐先端係止部７によって位置決めされるので、靴紐端部６が運動中などにバタつかず、また、体裁も良くなる。
【００５２】
尚、本発明は、本実施例に限られるものではなく、各構成要件の具体的構成は適宜設計し得るものである。
【符号の説明】
【００５３】
１  靴本体部
２  足甲部
３  靴紐
４  紐通し孔
５  大径こぶ部
６  靴紐端部
７  靴紐先端係止部
８  通孔
９  大径こぶ領域部
10  小径こぶ部
11  小径こぶ領域部
【図１】
2018094012.tif 000003
【図２】
2018094012.tif 000004
【図３】
2018094012.tif 000005
【図４】
2018094012.tif 000006
【図５】
2018094012.tif 000007
【図６】
2018094012.tif 000008
【図７】
2018094012.tif 000009
【図８】
2018094012.tif 000010
【図９】
2018094012.tif 000011
【図１０】
2018094012.tif 000012
【図１１】
2018094012.tif 000013
【手続補正書】
【提出日】平成30年3月3日(2018.3.3)
【手続補正１】
【補正対象書類名】特許請求の範囲
【補正対象項目名】全文
【補正方法】変更
【補正の内容】
【特許請求の範囲】
【請求項１】
足甲部の左右両側に夫々複数の紐通し孔が縦列状態に並設されている靴本体部と、前記紐通し孔に挿通配設され前記足甲部を緊締するための靴紐とからなり、前記靴紐は、長手方向両側部に前記紐通し孔の孔径よりも大径で且つ伸縮自在に構成されて、非引張り操作状態では前記紐通し孔を通過することができず引っ張り操作により伸長小径化変形することで前記紐通し孔を通過することができるように構成される大径こぶ部が長手方向に沿って複数設けられていて、この靴紐を手で引っ張り操作しながら前記大径こぶ部を伸長小径化変形させ、前記靴本体部の足甲部の左右に夫々並設される複数の前記紐通し孔に挿通してこの足甲部に引き回し配設し最後の紐通し孔を通過させた後に前記引張り操作をやめて前記最後の紐通し孔に通過させた大径こぶ部をこの最後の紐通し孔を通過することができない状態に復元させて、この復元させた大径こぶ部が前記最後の紐通し孔に戻り止め係止することで、前記靴紐を結ばなくても前記足甲部の緊締状態が保持されるように構成される靴において、前記靴本体部の左右の側面の前記足甲部に設けられる夫々の前記最後の紐通し孔の下方側に、この最後の紐通し孔を通過し外方に引き出された前記靴紐の靴紐端部を該靴本体部に係止させる靴紐先端係止部が設けられていて、この靴紐先端係止部は、非引張り操作状態の大径こぶ部は通過することができず、引っ張り操作により伸長小径化変形した大径こぶ部は通過することができる径寸法の通孔を有する構成とされ、前記最後の紐通し孔から引き出された前記靴紐端部を手で引っ張り操作して前記大径こぶ部を伸長小径化変形させてこの靴紐端部を前記靴紐先端係止部の通孔に挿通状態にした後、前記引っ張り操作をやめて前記大径こぶ部の伸長小径化変形を解除して、前記大径こぶ部を前記通孔を通過することができない状態に復元させることで、この復元した大径こぶ部が前記通孔の周縁部に戻り止め係止して、前記靴紐端部が前記靴本体部に係止状態に沿設されるように構成されていることを特徴とする靴。
【請求項２】
前記靴紐先端係止部は、前記最後の紐通し孔から引き出された前記靴紐端部を該靴紐先端係止部に係止させた際、前記最後の紐通し孔を起点に引き出し方向が変わり屈曲状態となる位置に設けられていることを特徴とする請求項１記載の靴。
【請求項３】
前記靴紐先端係止部は、前記最後の紐通し孔から引き出された前記靴紐端部を該靴紐先端係止部に係止させた際、前記最後の紐通し孔を起点に引き出し方向が靴本体部の先端側方向に変わり屈曲状態となるように、前記最後の紐通し孔の紐通し方向延長線上よりも靴本体部の先端側に設けられていることを特徴とする請求項２記載の靴。
【請求項４】
前記靴紐は、長手方向両側部に夫々、前記大径こぶ部が多数並設されてなる大径こぶ領域部が形成され、長手方向中央部に前記紐通し孔の孔径よりも小径な小径こぶ部が多数並設されてなる小径こぶ領域部が形成されていることを特徴とする請求項１〜３のいずれか１項に記載の靴。
【手続補正２】
【補正対象書類名】明細書
【補正対象項目名】全文
【補正方法】変更
【補正の内容】
【発明の詳細な説明】
【技術分野】
【０００１】
本発明は、靴紐を結ばなくても足甲部の緊締状態が保持される靴に関するものである。
【背景技術】
【０００２】
従来、この種の靴として、例えば特許文献１に開示されるような靴紐を用いたものがある。
【０００３】
この靴紐は、間隔をあけて繰返し配置され、自身に加えられる軸方向張力の大小によって径の大きさが変化するこぶを有する伸縮性素材からなるチューブ状ひも本体と、ひも本体のチューブ構造によって構成される中心の管部分に非伸縮性素材からなり、こぶのコアを構成し、こぶの径変化に応じたこぶ両端距離の変化に追随するようにこぶ対応部分にて丸められた中心ひもとで構成されており、軸方向張力を加えてこぶの径が小さくなるよう収縮させ、この状態でひも孔に通し、ひも孔への通しが終えたら、加えた軸方向張力を弱めてこぶの径が大きくなるように膨張させ、このこぶが膨張することでひも孔にひっかかり、結ぶ作業を経ることなく固定効果（ひもを結んだ際の締め上げ保持効果）が得られることを可能としたものであり、このような靴紐を用いた靴は、各ひも孔にこぶが係止して走るなどの運動をしても締め付け力が緩まず、靴と足との一体感（フィット感）がしっかりと保持される効果が発揮されるものとなっている。
【先行技術文献】
【特許文献】
【０００４】
【特許文献１】特許第５０７９９２６号公報
【発明の概要】
【発明が解決しようとする課題】
【０００５】
しかしながら、このような靴紐を用いた従来の靴（以下、従来品という）は、激しい運動の際には、ひも孔に係止するこぶに戻り方向の引っ張り作用が生じ、この戻り引っ張り作用によりこぶに伸長小径化変形が生じて係止状態が解除されて締め付け状態が弛んでしまう懸念があり、そのうえ、この従来品は、履き口側に最も近い最後のひも孔から引き出された靴紐の端部（余り部分）を固定する手段がないので、そのままの状態にしておくか、或いは、履き口から靴内に入れ込むか、足甲部に挿通配設された靴紐に絡み通すなどして固定するしかなく、そのため、この余った靴紐の端部が運動中にバタついたり、履き心地を低下させたり、或いは見栄えを悪くしていた。
【０００６】
本発明は、このような従来品の現状に鑑みなされたもので、激しい運動の際にも靴紐の締め上げ状態が良好に保持され締め付けの緩みが生じにくく、更に、最後の紐通し孔から引き出された靴紐端部がきちんと所定位置に固定され、運動中にバタつかず、見栄えも良くなる画期的な紐結びが不要な靴を提供することを目的とする。
【課題を解決するための手段】
【０００７】
添付図面を参照して本発明の要旨を説明する。
【０００８】
足甲部２の左右両側に夫々複数の紐通し孔４が縦列状態に並設されている靴本体部１と、前記紐通し孔４に挿通配設され前記足甲部２を緊締するための靴紐３とからなり、前記靴紐３は、長手方向両側部に前記紐通し孔４の孔径よりも大径で且つ伸縮自在に構成されて、非引張り操作状態では前記紐通し孔４を通過することができず引っ張り操作により伸長小径化変形することで前記紐通し孔４を通過することができるように構成される大径こぶ部５が長手方向に沿って複数設けられていて、この靴紐３を手で引っ張り操作しながら前記大径こぶ部５を伸長小径化変形させ、前記靴本体部１の足甲部２の左右に夫々並設される複数の前記紐通し孔４に挿通してこの足甲部２に引き回し配設し最後の紐通し孔４を通過させた後に前記引張り操作をやめて前記最後の紐通し孔４に通過させた大径こぶ部５をこの最後の紐通し孔４を通過することができない状態に復元させて、この復元させた大径こぶ部５が前記最後の紐通し孔４に戻り止め係止することで、前記靴紐３を結ばなくても前記足甲部２の緊締状態が保持されるように構成される靴において、前記靴本体部１の左右の側面の前記足甲部２に設けられる夫々の前記最後の紐通し孔４の下方側に、この最後の紐通し孔４を通過し外方に引き出された前記靴紐３の靴紐端部６を該靴本体部１に係止させる靴紐先端係止部７が設けられていて、この靴紐先端係止部７は、非引張り操作状態の大径こぶ部５は通過することができず、引っ張り操作により伸長小径化変形した大径こぶ部５は通過することができる径寸法の通孔８を有する構成とされ、前記最後の紐通し孔４から引き出された前記靴紐端部６を手で引っ張り操作して前記大径こぶ部５を伸長小径化変形させてこの靴紐端部６を前記靴紐先端係止部７の通孔８に挿通状態にした後、前記引っ張り操作をやめて前記大径こぶ部５の伸長小径化変形を解除して、前記大径こぶ部５を前記通孔８を通過することができない状態に復元させることで、この復元した大径こぶ部５が前記通孔８の周縁部に戻り止め係止して、前記靴紐端部６が前記靴本体部１に係止状態に沿設されるように構成されていることを特徴とする靴に係るものである。
【０００９】
また、前記靴紐先端係止部７は、前記最後の紐通し孔４から引き出された前記靴紐端部６を該靴紐先端係止部７に係止させた際、前記最後の紐通し孔４を起点に引き出し方向が変わり屈曲状態となる位置に設けられていることを特徴とする請求項１記載の靴に係るものである。
【００１０】
また、前記靴紐先端係止部７は、前記最後の紐通し孔４から引き出された前記靴紐端部６を該靴紐先端係止部７に係止させた際、前記最後の紐通し孔４を起点に引き出し方向が靴本体部１の先端側方向に変わり屈曲状態となるように、前記最後の紐通し孔４の紐通し方向延長線上よりも靴本体部１の先端側に設けられていることを特徴とする請求項２記載の靴に係るものである。
【００１１】
また、前記靴紐３は、長手方向両側部に夫々、前記大径こぶ部５が多数並設されてなる大径こぶ領域部９が形成され、長手方向中央部に前記紐通し孔４の孔径よりも小径な小径こぶ部10が多数並設されてなる小径こぶ領域部11が形成されていることを特徴とする請求項１〜３のいずれか１項に記載の靴に係るものである。
【発明の効果】
【００１２】
本発明は上述のように構成したから、激しい運動の際にも靴紐の締め上げ状態が良好に保持され締め付けの緩みの発生が可及的に低減される。
【００１３】
更に、最後の紐通し孔から引き出された靴紐端部がきちんと所定位置に固定され、運動中にバタつかず、見栄えも良くなる。
【図面の簡単な説明】
【００１４】
【図１】本実施例を示す斜視図である。
【図２】本実施例を示す正面図である。
【図３】本実施例の靴紐を示す正面図である。
【図４】（ａ）本実施例の靴紐の通常状態を示す説明正面図である。（ｂ）本実施例の靴紐が伸長小径化変形している状態を示す説明正面図である。
【図５】（ａ）本実施例の靴紐の通常状態における内部紐体の状態を示す説明断面図である。（ｂ）本実施例の靴紐が伸長小径化変形している状態における内部紐体の状態を示す説明断面図である。
【図６】本実施例の使用状態（靴紐締め上げ状態）を示す説明図である。
【図７】本実施例の使用状態（靴紐締め上げ解除後の状態）を示す説明図である。
【図８】本実施例の大径こぶ部の紐通し孔挿通時の状態を示す説明図である。
【図９】本実施例の大径こぶ部の紐通し孔挿通後の状態を示す説明図である。
【図１０】本実施例の小径こぶ部の紐通し孔挿通時の状態を示す説明図である。
【図１１】本実施例の靴紐の靴紐端部を靴紐先端係止部に挿通配設する状態を示す説明図である。
【発明を実施するための形態】
【００１５】
好適と考える本発明の実施形態を、図面に基づいて本発明の作用を示して簡単に説明する。
【００１６】
本発明は、靴紐３を手で引っ張り操作して大径こぶ部５を伸長小径化変形させながら、靴本体部１の足甲部２の左右に夫々並設されている複数の紐通し孔４に左右交互に挿通してこの足甲部２に靴紐３を引き回し配設し、靴本体部１の最も履き口側に位置する最後の紐通し孔４を通過させ外方に引き出した靴紐３の靴紐端部６を締め上げた後引っ張り操作をやめると、伸長小径化変形した大径こぶ部５が紐通し孔４を通過することができない非変形状態の大径こぶ部５に復元する。
【００１７】
更に、この最後の紐通し孔４から引き出された靴紐端部６を手で引っ張り操作してこの靴紐端部６に設けられている大径こぶ部５を伸長小径化変形させて通孔８を通過させた位置に配して引っ張り操作をやめると、伸長小径化変形した大径こぶ部５が通孔８を通過することができない非変形状態の大径こぶ部５に復元する。
【００１８】
これにより、最後の紐通し孔４を通過した出口位置と、靴紐先端係止部７の通孔８を通過した出口位置の二箇所にこれらを戻り通過することができない形状の大径こぶ部５が配置されることとなり、靴紐３に戻り移動作用が生じた場合、この最後の紐通し孔４を通過した大径こぶ部５が最後の紐通し孔４の周縁部に戻り係止するとともに、靴紐先端係止部７の通孔８を通過した大径こぶ部５がこの通孔８の周縁部、即ち靴紐先端係止部７に戻り係止して靴紐３の戻り移動が二箇所で阻止され、靴紐３の締め上げ状態が良好に保持されることとなる。
【００１９】
また、靴紐端部６を靴紐先端係止部７の通孔８に挿通させ大径こぶ部５により抜け止め状態にすることで、靴紐端部６が位置決め状態となる。
【００２０】
したがって、本発明は、激しい運動の際にも靴紐の締め上げ状態が良好に保持され締め付けの緩みの発生が可及的に低減され、更に、最後の紐通し孔から引き出された靴紐端部がきちんと所定位置に固定され、運動中にバタつかず、見栄えも良くなる実用性に優れた画期的な紐結びが不要な靴となる。
【実施例】
【００２１】
本発明の具体的な実施例について図面に基づいて説明する。
【００２２】
本実施例は、本発明の靴紐３と、靴本体部１とで構成される靴である。
【００２３】
以下、本実施例に係る構成各部について詳述する。
【００２４】
本実施例の靴紐３は、長手方向両側部に夫々設けられた、靴本体部１の足甲部２の左右に設けられている紐通し孔４の孔径よりも大径な大径こぶ部５が間隔をおいて複数並設されてなる大径こぶ領域部９と、この両側の大径こぶ領域部９の間、即ち、長手方向中央部に設けられた、紐通し孔４の孔径よりも小径な小径こぶ部10が間隔をおいて複数並設されてなる小径こぶ領域部11とから成る構成とされている。
【００２５】
具体的には、大径こぶ部５は、伸縮自在に構成され、非伸縮性の大径こぶ連結部12を介して靴紐３の長手方向に沿って並設されている構成とされ、また、小径こぶ部10は、大径こぶ部５同様、伸縮自在に構成され、非伸縮性の小径こぶ連結部13を介して靴紐３の長手方向に沿って並設されている構成とされている。
【００２６】
即ち、本実施例の靴紐３は、例えば両端部を手で持って引っ張り操作して大径こぶ部５、小径こぶ部10の夫々に張力を付与すると、伸縮自在に構成された複数の大径こぶ部５及び小径こぶ部10が伸長して靴紐全体がゴム紐の様に伸長し、引っ張り操作をやめて張力の付与が解除されると、大径こぶ部５及び小径こぶ部10の夫々が縮退して元の状態に復元する伸縮性を具備した構成とされている。
【００２７】
より具体的には、本実施例の大径こぶ部５は、直径約７ｍｍのほぼ球状に形成されており、靴紐３の長手方向への引っ張り操作により張力が付与されることでラグビーボール様に伸長小径化変形して紐通し孔４を通過することが可能な形状となり、引っ張り操作をやめることで張力が解除されると元の紐通し孔４を通過することができない大径なこぶ形状に復元する構成とされ、また、小径こぶ部10は、直径約４ｍｍの円筒状に形成され、大径こぶ部５同様、靴紐３の長手方向への引っ張り操作により張力が付与されることでこの小径こぶ部10に連設される直径約２ｍｍの紐状の小径こぶ連結部13と同化するように伸長小径化変形し、引っ張り操作をやめることで張力が解除されると元の形状に復元する構成とされている。
【００２８】
また、この大径こぶ部５が複数並設されてなる大径こぶ領域部９は、引っ張り操作により大径こぶ部５を伸長小径化変形させて足甲部２の左右に並設される各紐通し孔４を通過させて締め上げた後、引っ張り操作をやめて伸長小径化変形させた大径こぶ部５を元の紐通し孔４を通過することができない大径なこぶ形状の大径こぶ部５に復元させた際に、この復元された大径こぶ部５が、靴本体部１の足甲部２の左右に並設されている紐通し孔４の最も履き口側に位置する最後の紐通し孔４だけ、若しくはこの最後の紐通し孔４とその一つ手前の紐通し孔４だけに戻り係止する長さに設定され、また、小径こぶ部10が複数並設されて成る小径こぶ領域部11は、足甲部２の左右に並設されている紐通し孔４に左右交互に挿通して交差状に引き回し配設することができる長さに設定されている。
【００２９】
具体的には、本実施例においては、各大径こぶ領域部９は夫々、靴紐全長の約１／４に相当する長さに設定され、また、小径こぶ領域部11は、靴紐全長の約１／２に相当する長さに設定されており、より具体的には、大径こぶ領域部９は、靴紐３を靴本体部１の足甲部２の左右に並設される紐通し孔４に挿通配設して締め上げた際にこの足甲部２の上側、例えば紐通し孔４二つ分くらいの領域に配されるとともに、履き口に最も近い最後の紐通し孔４から引き出される靴紐端部６となり、また、小径こぶ領域部11は、足甲部２の下側（靴先側）から上側（履き口側）にかけてその半分以上の領域に配されるように構成されている。
【００３０】
本実施例の靴紐３について更に具体的に説明すると、本実施例の靴紐３は、長手方向両側部に夫々、大径こぶ部５を形成するための大径こぶ形成膨出形状部14が間隔をおいて複数並設状態に形成されているとともに、長手方向中央部に小径こぶ部10を形成するための小径こぶ形成膨出形状部15が間隔をおいて複数並設状態に形成された伸縮性素材からなる管状紐本体16と、この管状紐本体16内に挿通配設される非伸縮性素材からなる内部紐体17との二つの部材からなる構成とされ、本実施例においては、管状紐本体16は、天然ゴムや合成ゴム等の伸縮性素材（弾性素材）と、ポリエステル、ナイロン、アクリル、ポリウレタン等の非伸縮性素材との組み合わせにより形成された伸縮性素材からなる構成とされている。
【００３１】
具体的には、本実施例の靴紐３は、管状紐本体16の大径こぶ形成膨出形状部14内に内部紐体17が大径こぶ芯部18を形成するように弛み状態で配設されて大径こぶ部５が形成され、また、管状紐本体16の小径こぶ形成膨出形状部15内に内部紐体17が小径こぶ芯部19を形成するように弛み状態で配設されて小径こぶ部10が形成される構成とされている。
【００３２】
また、本実施例の靴紐３は、この大径こぶ形成膨出形状部14内に配設させる大径こぶ芯部18、及び小径こぶ形成膨出形状部15内に配設される小径こぶ芯部19の夫々が、これら大径こぶ形成膨出形状部14及び小径こぶ形成膨出形状部15、言い換えると大径こぶ部５及び小径こぶ部10の伸長動作を制限する伸長動作制限部材となる構成とされている。
【００３３】
具体的には、大径こぶ芯部18は、両端部が大径こぶ形成膨出形状部14の両端部に固着された構成とされ、また、小径こぶ芯部19は、両端部が小径こぶ形成膨出形状部15の両端部に固着された構成とされ、大径こぶ部５においては、引っ張り操作による張力が付与されると大径こぶ形成膨出形状部14の端部が引っ張られて伸長動作し、この大径こぶ形成膨出形状部14の端部が引っ張られることで内部の弛み状態の大径こぶ芯部18も一緒に引っ張られ、この引っ張り作用により大径こぶ芯部18の弛みがなくなり張設状態になることで伸長動作制限作用が発揮されて大径こぶ形成膨出形状部14のそれ以上の伸長動作が制限（抑止）され、また、小径こぶ部10においては、引っ張り操作による張力が付与されると小径こぶ形成膨出形状部15の端部が引っ張られて伸長動作し、この小径こぶ形成膨出形状部15の端部が引っ張られることで内部の弛み状態の小径こぶ芯部19も一緒に引っ張られ、この引っ張り作用により小径こぶ芯部19の弛みがなくなり張設状態になることで伸長動作制限作用が発揮されて小径こぶ形成膨出形状部15のそれ以上の伸長動作が制限（抑止）される構成とされている。
【００３４】
即ち、本実施例の靴紐３は、引っ張り操作による伸長動作時の伸長量を制限して紐的要素を大きくした構成とすることで、紐通し孔４への挿通作業をし易くすると共に、管状紐本体16を構成する伸縮性素材（弾性素材）の過剰な伸長によるこの伸縮性素材の断裂を防止する構成とされている。
【００３５】
また、本実施例の靴本体部１は、図示するように、一般的なスニーカー形状に構成されているものであり、足甲部２の左右に夫々複数の紐通し孔４が靴先から履き口に向かう方向に沿って並設されている。
【００３６】
また、本実施例の靴本体部１は、左右の側面の夫々に、紐通し孔４に挿通配設した靴紐３の先端部分、即ち、紐通し孔４に挿通配設し履き口側に位置する最後の紐通し孔４を通過させて外方に引き出された靴紐端部６を、この該靴本体部１に係止させるための靴紐先端係止部７が設けられている構成とされている。
【００３７】
具体的には、本実施例の靴紐先端係止部７は、非変形状態の大径こぶ部５は通過することができず、引っ張り操作により伸長小径化変形した大径こぶ部５は通過することができる紐通し孔４とほぼ同等の径寸法に設定された通孔８を有する構成とされている。
【００３８】
即ち、本実施例の靴紐先端係止部７は、大径こぶ部５が紐通し孔４に戻り止め係止する構成と同様、最後の紐通し孔４から引き出された靴紐端部６を手で引っ張り操作してこの靴紐端部６にある大径こぶ部５を伸長小径化変形させてこの小径こぶ部５を通孔８に挿通させた後、引っ張り操作をやめて伸長小径化変形した大径こぶ部５をそのままでは通孔８を通過することができない元の状態に復元させることで、靴紐３に戻り移動作用が生じてもこの靴紐端部６の大径こぶ部５が通孔８の周縁部、即ち靴紐先端係止部７に戻り係止して、靴紐３の戻り移動が阻止されるように構成されている。
【００３９】
即ち、本実施例は、最後の紐通し孔４とともにこの靴紐先端係止部７の二箇所で靴紐３の締め上げ状態を保持する二重係止（ダブルロック）構造とされ、締め上げ状態を良好に保持し、靴紐３を結ばなくても靴本体部１の足甲部２の緊締状態が良好に保持される構成とされている。
【００４０】
更に本実施例の靴紐先端係止部７について具体的に説明すると、本実施例の靴紐先端係止部７は、足甲部２の履き口側に位置する最後の紐通し孔４と、この最後の紐通し孔４を挿通する前に靴紐３が挿通された反対側の最後の紐通し孔４の一つ手前の紐通し孔４とを結ぶ紐通し方向延長線上よりも靴本体部１の先端側に設けられる（配置される）構成とされ、具体的には、本実施例においては、最後の紐通し孔４のほぼ真下に設けられている構成とされている。
【００４１】
即ち、本実施例は、最後の紐通し孔４を通過し外方に引き出された靴紐３の靴紐端部６を、最後の紐通し孔４の真下に位置する靴紐先端係止部７の通孔８に挿通することで、最後の紐通し孔４で靴紐３を大きく屈曲させて引き回し方向を変えることで、靴紐３に戻り移動作用が生じた場合、この屈曲部が戻り移動作用に対する抵抗部となって、より戻り移動しにくくなるように構成されている。
【００４２】
また更に、本実施例の靴紐先端係止部７に設けられた通孔８は、靴本体部１の側面に沿う方向に穿孔された構成とされ、最後の紐通し孔４から引き出された靴紐端部６を手で引っ張り操作してこの靴紐端部６にある大径こぶ部５を伸長小径化変形させてこの小径こぶ部５を通孔８に挿通させた後、引っ張り操作をやめて伸長小径化変形した大径こぶ部５をそのままでは通孔８を通過することができない元の状態に復元させると、この通孔８を挿通させた靴紐端部６が靴本体部１の側面に沿設状態に位置決めされるように構成されている。
【００４３】
即ち、本実施例の靴紐先端係止部７は、靴紐３の締め上げ状態を保持する最後の保持部として構成されるとともに、余った靴紐３の靴紐端部６が運動中にバタつかないように所定位置に固定する靴紐端部位置決め部として作用する構成とされている。
【００４４】
以上のように構成される本実施例の作用効果について以下に説明する。
【００４５】
本実施例は、靴紐３を手で引っ張り操作しながら大径こぶ部５を伸長小径化変形させ、靴本体部１の足甲部２の左右に夫々並設される複数の紐通し孔４に左右交互に挿通してこの足甲部２に交差状に引き回し配設し、最後の紐通し孔４を通過させた靴紐３の靴紐端部６を引っ張り操作して締め上げた状態で、更にこの靴紐端部６を靴紐先端係止部７の通孔８に挿通した後、この引っ張り操作をやめると大径こぶ部５の伸長小径化変形が解除され、大径こぶ部５が元の紐通し孔４及び通孔８を通過することができない大径な球状に復元されて、靴紐３に戻り移動作用が生じた場合、最後の紐通し孔４を通過した大径こぶ部５（具体的には、この最後の紐通し孔４の出口側に最も近い大径こぶ部５）がこの最後の紐通し孔４の周縁部（ハトメ部材）に係止するとともに、靴紐先端係止部７の通孔８を通過した大径こぶ部５（具体的には、この通孔８の出口側に最も近い大径こぶ部５）がこの通孔８の周縁部、即ち靴紐先端係止部７に係止して靴紐３の戻り移動が二箇所で阻止され、靴紐３の締め上げ状態が良好に保持されるので、靴紐３を結ばなくても足甲部２の締め付け状態が確実に保持されるので、靴紐３の結びが不要となる。
【００４６】
また、この紐通し孔４への紐通し作業の際、本実施例の靴紐３は、長手方向両側部、言い換えると、靴紐３の各靴紐先端部から夫々所定長さ領域にだけそのままの状態では紐通し孔４を通過することができず引っ張り操作により張力が付与されて伸長縮小化変形することで紐通し孔４を通過することができる大径こぶ部５が配置され、それ以外の領域はそのままの状態で紐通し孔４を通過することができる小径こぶ部10が配置される構成とされているので、一々引っ張り操作により伸長縮小化変形させながら紐通し孔４を通過させる大径こぶ部５の数が少なく、紐通し作業が容易になるとともに、靴紐３の締め付け具合を調整する際も、足甲部２の上側に位置する大径こぶ領域部９を移動させる際だけ引っ張り操作を要し、小径こぶ領域部11を移動させる際は、従来の一般的な靴紐を移動させるのと同様の通常紐通し操作でよいので、締め付け具合の調整が容易であり、しかも、足甲部２における大径こぶ部５の数が少ないので、見た目がすっきりして体裁も良いものとなる。
【００４７】
また、本実施例は、靴紐３の各大径こぶ部５及び各小径こぶ部10は夫々伸縮性を有するので、靴紐全体に亘って伸縮性を有することとなり、この大径こぶ部５及び小径こぶ部10をやや伸長させた状態で足甲部２に挿通配設することで、この大径こぶ部５及び小径こぶ部10に縮退作用が生じ、この縮退作用によって生じる足甲部締め付け付勢により、靴本体部１の足へのフィット感が向上し、しかも、この靴紐全体の伸縮性に加え、小径こぶ部10が紐通し孔４を自在に通過可能なので、この足甲部締め付け付勢の度合い、言い換えると、靴紐３の足甲部２に対する緊締具合が自然調整される。
【００４８】
即ち、足は左右非対称形であるとともに、その足甲頂点には多くの血管が存在し、靴紐で緊締することで血流が阻まれ、歩行や長時間立っていることで足全体がむくみ、ひいてはからだ全体の血流を悪くすることがあるが、本実施例は、上記作用により長時間の歩行や立ち作業でむくみが生じても、このむくみに応じて緊締具合が自然に調整されるので、足甲における血流が阻まれることがなく、この血流悪化による健康被害の発生を防止することができる。
【００４９】
また更に、本実施例は、紐通し孔４を挿通し終えた靴紐３の靴紐端部６が靴紐先端係止部７によって位置決めされるので、靴紐端部６が運動中などにバタつかず、また、体裁も良くなる。
【００５０】
尚、本発明は、本実施例に限られるものではなく、各構成要件の具体的構成は適宜設計し得るものである。
【符号の説明】
【００５１】
１  靴本体部
２  足甲部
３  靴紐
４  紐通し孔
５  大径こぶ部
６  靴紐端部
７  靴紐先端係止部
８  通孔
９  大径こぶ領域部
10  小径こぶ部
11  小径こぶ領域部